【手続補正書】
【提出日】平成28年7月28日(2016.7.28)
【手続補正１】
【補正対象書類名】明細書
【補正対象項目名】００１０
【補正方法】変更
【補正の内容】
【００１０】
本発明は、展開前の印刷データと展開後の印刷データを、印刷データの記憶されている装置に応じて取得し、印刷処理のための負荷を軽減する画像形成装置、画像形成システム、その制御方法及びプログラムを提供することを目的とする。
【手続補正２】
【補正対象書類名】明細書
【補正対象項目名】００１１
【補正方法】変更
【補正の内容】
【００１１】
本発明の画像形成装置は、情報処理装置から展開前の印刷データを受信して展開して印刷する、他機画像形成装置と通信可能な画像形成装置であって、受信した展開前の印刷データを記憶手段に記憶すべく制御する第１の記憶制御手段と、前記印刷データを展開した展開後の印刷データを記憶手段に記憶すべく制御する第２の記憶制御手段と、印刷データが記憶されている画像形成装置を特定可能な他機画像形成装置に記憶されている印刷データの書誌情報と自機画像形成装置に記憶されている印刷データの書誌情報とから、印刷する印刷データの書誌情報を選択する選択手段と、前記選択手段により選択された書誌情報の印刷データの記憶されている画像形成装置が、他機画像形成装置であると判断された場合に、当該印刷データを記憶している他機画像形成装置に当該印刷データを要求する印刷データ要求手段と、他機画像形成装置から印刷データの要求を受け付けた場合に、前記第１の記憶制御手段により自機画像形成装置の前記記憶手段に記憶されている展開前の印刷データを取得する第１の取得手段と、前記第１の取得手段により取得した印刷データを、要求元の他の画像形成装置に送信する印刷データ送信手段と、前記選択手段により選択された書誌情報の印刷データが、自機画像形成装置の前記記憶手段に記憶されていると判断された場合に、前記第２の記憶制御手段により前記記憶手段に記憶された展開後の当該印刷データを取得する第２の取得手段と、他機画像形成装置の前記印刷データ送信手段により送信された前記展開前の印刷データを受信する受信手段と、前記受信手段により受信された展開前の印刷データ、及び前記第２の取得手段により取得された前記展開後の印刷データを印刷する印刷手段と、を備えることを特徴とする。
【手続補正３】
【補正対象書類名】明細書
【補正対象項目名】００１２
【補正方法】変更
【補正の内容】
【００１２】
本発明によれば、展開前の印刷データと展開後の印刷データを、印刷データの記憶されている装置に応じて取得し、印刷処理のための負荷を軽減する画像形成装置、画像形成システム、その制御方法及びプログラムを提供することができる。
【手続補正４】
【補正対象書類名】特許請求の範囲
【補正対象項目名】全文
【補正方法】変更
【補正の内容】
【特許請求の範囲】
【請求項１】
情報処理装置から展開前の印刷データを受信して展開して印刷する、他機画像形成装置と通信可能な画像形成装置であって、
受信した展開前の印刷データを記憶手段に記憶すべく制御する第１の記憶制御手段と、
前記印刷データを展開した展開後の印刷データを記憶手段に記憶すべく制御する第２の記憶制御手段と、
印刷データが記憶されている画像形成装置を特定可能な他機画像形成装置に記憶されている印刷データの書誌情報と自機画像形成装置に記憶されている印刷データの書誌情報とから、印刷する印刷データの書誌情報を選択する選択手段と、
前記選択手段により選択された書誌情報の印刷データの記憶されている画像形成装置が、他機画像形成装置であると判断された場合に、当該印刷データを記憶している他機画像形成装置に当該印刷データを要求する印刷データ要求手段と、
他機画像形成装置から印刷データの要求を受け付けた場合に、前記第１の記憶制御手段により自機画像形成装置の前記記憶手段に記憶されている展開前の印刷データを取得する第１の取得手段と、
前記第１の取得手段により取得した印刷データを、要求元の他の画像形成装置に送信する印刷データ送信手段と、
前記選択手段により選択された書誌情報の印刷データが、自機画像形成装置の前記記憶手段に記憶されていると判断された場合に、前記第２の記憶制御手段により前記記憶手段に記憶された展開後の当該印刷データを取得する第２の取得手段と、
他機画像形成装置の前記印刷データ送信手段により送信された前記展開前の印刷データを受信する受信手段と、
前記受信手段により受信された展開前の印刷データ、及び前記第２の取得手段により取得された前記展開後の印刷データを印刷する印刷手段と、
を備えることを特徴とする画像形成装置。
【請求項２】
前記第１の記憶制御手段は、展開前である記述言語形式で受信した印刷データを、共有の永続記憶領域である共有領域に記述言語形式のまま記憶すべく制御し、
前記第２の記憶制御手段は、前記記述言語形式の印刷データから得られた、展開後である画像形式の印刷データを、ユーザごとの永続記憶領域である専用記憶領域に記憶すべく制御することを特徴とする請求項１に記載の画像形成装置。
【請求項３】
前記選択手段により選択される書誌情報の印刷データの印刷設定の変更指示を受け付ける印刷設定変更指示受付手段と、
前記受信手段により受信された印刷データが、前記印刷設定変更指示受付手段で印刷設定の変更指示を受け付けた印刷データか判定する変更判定手段と、
前記変更判定手段により前記印刷設定の変更指示を受け付けていないと判定された印刷データを、前記第２の記憶制御手段により前記記憶手段に記憶させることなく前記印刷手段により印刷させるべく制御し、前記変更判定手段により前記印刷設定の変更指示を受け付けたと判定された印刷データを、印刷設定の変更が可能なように、前記第２の記憶制御手段により前記記憶手段に展開して記憶させるべく制御する制御手段と、
を備え、
前記印刷手段は、前記展開後の印刷データを、前記印刷設定変更指示受付手段で変更指示を受け付けた後の印刷設定で印刷することを特徴とする請求項１又は２に記載の画像形成装置。
【請求項４】
自機画像形成装置及び他機画像形成装置から前記書誌情報の一覧を取得する書誌情報一覧取得手段と、
前記書誌情報一覧取得手段で取得した書誌情報の一覧において各書誌情報の示す印刷データの記憶されている装置が、自機画像形成装置か他機画像形成装置かを識別可能に表示する識別表示手段と、
を備えることを特徴とする請求項１乃至３のいずれか１項に記載の画像形成装置。
【請求項５】
前記書誌情報は、前記書誌情報の示す印刷データが記憶されている画像形成装置を特定するための特定情報を含み、前記特定情報により前記書誌情報の示す印刷データがいずれの画像形成装置に記憶されているかを特定可能であることを特徴とする請求項１乃至４のいずれか１項に記載の画像形成装置。
【請求項６】
情報処理装置から展開前の印刷データを受信して展開して印刷する、他機画像形成装置と通信可能な画像形成装置の制御方法であって、
受信した展開前の印刷データを記憶工程に記憶すべく制御する第１の記憶制御工程と、
前記印刷データを展開した展開後の印刷データを記憶工程に記憶すべく制御する第２の記憶制御工程と、
印刷データが記憶されている画像形成装置を特定可能な他機画像形成装置に記憶されている印刷データの書誌情報と自機画像形成装置に記憶されている印刷データの書誌情報とから、印刷する印刷データの書誌情報を選択する選択工程と、
前記選択工程により選択された書誌情報の印刷データの記憶されている画像形成装置が、他機画像形成装置であると判断された場合に、当該印刷データを記憶している他機画像形成装置に当該印刷データを要求する印刷データ要求工程と、
他機画像形成装置から印刷データの要求を受け付けた場合に、前記第１の記憶制御工程により自機画像形成装置の前記記憶工程に記憶されている展開前の印刷データを取得する第１の取得工程と、
前記第１の取得工程により取得した印刷データを、要求元の他の画像形成装置に送信する印刷データ送信工程と、
前記選択工程により選択された書誌情報の印刷データが、自機画像形成装置の前記記憶工程に記憶されていると判断された場合に、前記第２の記憶制御工程により前記記憶工程に記憶された展開後の当該印刷データを取得する第２の取得工程と、
他機画像形成装置の前記印刷データ送信工程により送信された前記展開前の印刷データを受信する受信工程と、
前記受信工程により受信された展開前の印刷データ、及び前記第２の取得工程により取得された前記展開後の印刷データを印刷する印刷工程と、
を含むことを特徴とする画像形成装置の制御方法。
【請求項７】
情報処理装置から展開前の印刷データを受信して展開して印刷する、他機画像形成装置と通信可能な画像形成装置で実行が可能なプログラムであって、
前記画像形成装置を、
受信した展開前の印刷データを記憶手段に記憶すべく制御する第１の記憶制御手段と、
前記印刷データを展開した展開後の印刷データを記憶手段に記憶すべく制御する第２の記憶制御手段と、
印刷データが記憶されている画像形成装置を特定可能な他機画像形成装置に記憶されている印刷データの書誌情報と自機画像形成装置に記憶されている印刷データの書誌情報とから、印刷する印刷データの書誌情報を選択する選択手段と、
前記選択手段により選択された書誌情報の印刷データの記憶されている画像形成装置が、他機画像形成装置であると判断された場合に、当該印刷データを記憶している他機画像形成装置に当該印刷データを要求する印刷データ要求手段と、
他機画像形成装置から印刷データの要求を受け付けた場合に、前記第１の記憶制御手段により自機画像形成装置の前記記憶手段に記憶されている展開前の印刷データを取得する第１の取得手段と、
前記第１の取得手段により取得した印刷データを、要求元の他の画像形成装置に送信する印刷データ送信手段と、
前記選択手段により選択された書誌情報の印刷データが、自機画像形成装置の前記記憶手段に記憶されていると判断された場合に、前記第２の記憶制御手段により前記記憶手段に記憶された展開後の当該印刷データを取得する第２の取得手段と、
他機画像形成装置の前記印刷データ送信手段により送信された前記展開前の印刷データを受信する受信手段と、
前記受信手段により受信された展開前の印刷データ、及び前記第２の取得手段により取得された前記展開後の印刷データを印刷する印刷手段として機能させることを特徴とする画像形成装置のプログラム。
【請求項８】
情報処理装置から展開前の印刷データを受信して展開して印刷する、複数の画像形成装置を含む画像形成システムであって、
受信した展開前の印刷データを記憶手段に記憶すべく制御する第１の記憶制御手段と、
前記印刷データを展開した展開後の印刷データを記憶手段に記憶すべく制御する第２の記憶制御手段と、
印刷データが記憶されている画像形成装置を特定可能な他機画像形成装置に記憶されている印刷データの書誌情報と自機画像形成装置に記憶されている印刷データの書誌情報とから、印刷する印刷データの書誌情報を選択する選択手段と、
前記選択手段により選択された書誌情報の印刷データの記憶されている画像形成装置が、他機画像形成装置であると判断された場合に、当該印刷データを記憶している他機画像形成装置に当該印刷データを要求する印刷データ要求手段と、
他機画像形成装置から印刷データの要求を受け付けた場合に、前記第１の記憶制御手段により自機画像形成装置の前記記憶手段に記憶されている展開前の印刷データを取得する第１の取得手段と、
前記第１の取得手段により取得した印刷データを、要求元の他の画像形成装置に送信する印刷データ送信手段と、
前記選択手段により選択された書誌情報の印刷データが、自機画像形成装置の前記記憶手段に記憶されていると判断された場合に、前記第２の記憶制御手段により前記記憶手段に記憶された展開後の当該印刷データを取得する第２の取得手段と、
他機画像形成装置の前記印刷データ送信手段により送信された前記展開前の印刷データを受信する受信手段と、
前記受信手段により受信された展開前の印刷データ、及び前記第２の取得手段により取得された前記展開後の印刷データを印刷する印刷手段と、
を備えることを特徴とする画像形成システム。
【請求項９】
情報処理装置から展開前の印刷データを受信して展開して印刷する、複数の画像形成装置を含む画像形成システムの制御方法であって、
受信した展開前の印刷データを記憶工程に記憶すべく制御する第１の記憶制御工程と、
前記印刷データを展開した展開後の印刷データを記憶工程に記憶すべく制御する第２の記憶制御工程と、
印刷データが記憶されている画像形成装置を特定可能な他機画像形成装置に記憶されている印刷データの書誌情報と自機画像形成装置に記憶されている印刷データの書誌情報とから、印刷する印刷データの書誌情報を選択する選択工程と、
前記選択工程により選択された書誌情報の印刷データの記憶されている画像形成装置が、他機画像形成装置であると判断された場合に、当該印刷データを記憶している他機画像形成装置に当該印刷データを要求する印刷データ要求工程と、
他機画像形成装置から印刷データの要求を受け付けた場合に、前記第１の記憶制御工程により自機画像形成装置の前記記憶工程に記憶されている展開前の印刷データを取得する第１の取得工程と、
前記第１の取得工程により取得した印刷データを、要求元の他の画像形成装置に送信する印刷データ送信工程と、
前記選択工程により選択された書誌情報の印刷データが、自機画像形成装置の前記記憶工程に記憶されていると判断された場合に、前記第２の記憶制御工程により前記記憶工程に記憶された展開後の当該印刷データを取得する第２の取得工程と、
他機画像形成装置の前記印刷データ送信工程により送信された前記展開前の印刷データを受信する受信工程と、
前記受信工程により受信された展開前の印刷データ、及び前記第２の取得工程により取得された前記展開後の印刷データを印刷する印刷工程と、
を含むことを特徴とする画像形成システムの制御方法。
【請求項１０】
情報処理装置から展開前の印刷データを受信して展開して印刷する、複数の画像形成装置を含む画像形成システムを制御するプログラムであって、
前記画像形成システムを、
受信した展開前の印刷データを記憶手段に記憶すべく制御する第１の記憶制御手段と、
前記印刷データを展開した展開後の印刷データを記憶手段に記憶すべく制御する第２の記憶制御手段と、
印刷データが記憶されている画像形成装置を特定可能な他機画像形成装置に記憶されている印刷データの書誌情報と自機画像形成装置に記憶されている印刷データの書誌情報とから、印刷する印刷データの書誌情報を選択する選択手段と、
前記選択手段により選択された書誌情報の印刷データの記憶されている画像形成装置が、他機画像形成装置であると判断された場合に、当該印刷データを記憶している他機画像形成装置に当該印刷データを要求する印刷データ要求手段と、
他機画像形成装置から印刷データの要求を受け付けた場合に、前記第１の記憶制御手段により自機画像形成装置の前記記憶手段に記憶されている展開前の印刷データを取得する第１の取得手段と、
前記第１の取得手段により取得した印刷データを、要求元の他の画像形成装置に送信する印刷データ送信手段と、
前記選択手段により選択された書誌情報の印刷データが、自機画像形成装置の前記記憶手段に記憶されていると判断された場合に、前記第２の記憶制御手段により前記記憶手段に記憶された展開後の当該印刷データを取得する第２の取得手段と、
他機画像形成装置の前記印刷データ送信手段により送信された前記展開前の印刷データを受信する受信手段と、
前記受信手段により受信された展開前の印刷データ、及び前記第２の取得手段により取得された前記展開後の印刷データを印刷する印刷手段として機能させることを特徴とする画像形成システムのプログラム。